(57)【要約】  【課題】  電動ドリルドライバーやインパクトドライバーに装着可能であると共に、ソケットやドライバービットなどの締付け工具が差替え可能であり、しかも長尺棒状部の強度、耐久性を図り、握支持に好適なボルトなどの締付け弛緩用延長連結具を提供すること。  【解決手段】  作業時に緩く握持する支持部ともなるパイプ状の長尺中空材による棒体部の一方端に、電動工具のドリルチャックやシャンク穴に装着するためのシャンク部を備え、他方端には、ボルト、ナットやネジなどを締付け弛緩するための、ソケットやドライバービット等のシャンク部を装着するチャック機構部を備えたボルトなどの締付け弛緩用延長連結具。【選択図】    図２
2006297508.tif 000002
【特許請求の範囲】
【請求項１】
作業時に緩く握持する支持部ともなる、パイプ状の長尺中空材による棒体部の一方端に、電動工具のドリルチャックやシャンク穴に装着するためのシャンク部を備え、他方端には、ボルト、ナットやネジなどを締付け弛緩するための、ソケットやドライバービット等のシャンク部を装着するチャック機構部を備えていることを特徴とする、ボルトなどの締付け弛緩用延長連結具。
【発明の詳細な説明】
【技術分野】
【０００１】
本発明は、電動ドリルドライバーやインパクトドライバーなどの電動工具に取付けて、天井や高壁面などの遠隔箇所のボルトやネジを締付け弛緩するための延長連結具に関するものである。
【背景技術】
【０００２】
この種のものとしては、数１０ｃｍ或いはそれ以上の長さを有する角形金属軸部材の一方端に、ドリルやドライバーの着脱機構が設けられた延長ビットと称するものがある（例えば、特許文献１参照）。
【０００３】
【特許文献１】特開２００４−２７６２２５号公報（段落００１４以下）
【発明の開示】
【発明が解決しようとする課題】
【０００４】
建築内装工事における天井や高壁部へのパネルの取付け作業などは、通常足場を構築してからなされるものであるが、足場の安全基準の強化と、これに伴なう建築費の高騰が懸念されることから、前記文献に記載の延長ビットが使用される。
この延長ビットは、長尺金属軸の一方端を電動工具に取付け、他方端の着脱機構部にボルト用のソケットやネジ用のドライバーなどを装着して使用するものであるが、長尺金属軸が電動工具取付部位から先端部位のドライバー等の締付け具まで１０数ｃｍ或はそれ以上の長さであって、しかも電動工具の装着部に取付けるから細径に形成されているため、この金属軸部が、インパクトドライバーなどの激しい振動による撓みや捩れなどによる折損など、強度、耐久性が危惧され、また長尺となる金属軸部が細径棒状であり、その先端に締付け工具の着脱機構が設けられた構成であることから、緩く握った状態で支えながらの作業にあって先端が重く感じられ作業性が良くない。
【０００５】
本発明は前記を考慮して、電動ドリルドライバーやインパクトドライバーに装着可能であると共に、ソケットやドライバービットなどの締付け工具が差替え可能であり、しかも長尺棒状部の強度、耐久性を図り、握支持に好適な延長連結具を提供することを目的とするものである。
【課題を解決するための手段】
【０００６】
上記目的を達成するボルトなどの締付け弛緩用延長連結具は、作業時に緩く握持する支持部ともなる、パイプ状の長尺中空材による棒体部の一方端に、電動工具のドリルチャックやシャンク穴に装着するためのシャンク部を備え、他方端には、ボルト、ナットやネジなどを締付け弛緩するための、ソケットやドライバービット等のシャンク部を装着するチャック機構部を備えているものである。
【発明の効果】
【０００７】
本発明に係るボルトなどの締付け弛緩用延長連結具は、電動工具に装着するのに好適なシャンク部を備えていると共に、ボルト、ナットやネジを締付け弛緩するための、ソケットやドライバービットなどの締付け工具の差替えに好適なチャンク機構を備え、しかも、建築内装工事などにおける天井や高壁部などの遠隔箇所のボルトやネジの締付け作業において、緩く握って支持することとなる棒体部が、パイプ状中空材からなるものであるから、長尺であることによる撓みや、インパクトドライバーの振動による折損の恐れもなく十分に強度を有すると共に、程好い握り具合の握支持に好適な太さであり、全体的に重量バランスがとれた構成となり、いわゆる持ち重りがせず作業性が良いものである。
【実施例】
【０００８】
図は本発明に係るボルトやネジなどの締付け弛緩用延長連結具の一実施例を示すもので、以下各図を参照して説明する。
【０００９】
図１は、延長連結具Ａの全体正面図で、この延長連結具Ａは、長尺の棒体部１と、この棒体部１の一方端に固定された、電動ドリルドライバーのドリルチャックやインパクトドライバーＤ（以下電動工具と称す）に装着するためのシャンク部２と、他方端に配設された、ボルトやネジを締付け弛緩するためのソケットやドライバービットなどの締付け弛緩工具Ｔ（以下締付け工具と称す）を装着するチャック機構部３とが直軸状に配列構成されている。
【００１０】
前記棒体部１は、本例においては直径２０ｍｍで長さ７００〜１０００ｍｍ程のやや太径丸パイプ状の長尺中空材からなり、シャンク部２は、電動工具Ｄのチャック部やシャンク穴に挿嵌して装着するための端面６角形のシャンク杆部２ａと、これに続く太径の固着端部２ｂを有し、この固着端部２ｂが棒体部１の一方端に嵌合された状態で、溶接などの手段により一体状に固定されており、シャンク杆部２ａの中程には、電動工具ＤであるインパクトドライバーＤａのスピンドル先端部Ｄｂに設けられた、係止機構におけるシャンク穴に設けられた係合球体が嵌まる半円状の係合周溝２ｃが形成されている。
なお、シャンク杆部２ａは、本例のごとく端面６角形または、４角形などの多角形のほか、テーパー杆状などや丸杆の周面の一部に平面状部が形成された態様などもある。
【００１１】
チャック機構部３は、短柱状の軸体部４と、この軸体部４の外周面に沿って軸線方向（図３、上下方向）に移動可能に外嵌された操作筒部５を備え、軸体部４は、上部位の固着端部４ａが棒体部１の他方端に嵌合された状態で溶接などの手段により一体状に固定され、中央上下方向の軸心部位には、締付け工具Ｔの６角シャンク部Ｔａを挿嵌する６角シャンク穴４ｂが縦設されている。
【００１２】
また、軸体部４には、外周壁から６角シャンク穴４ｂに貫通し、６角シャンク穴４ｂ方向の開口周縁が僅かに小径に形成された横孔４ｃが穿設されており、この横穴４ｃには、締付け工具Ｔの６角シャンク部Ｔａに形成された係合周溝Ｔｂに係止する球体４ｄが嵌め込まれている。
【００１３】
球体４ｄは、横孔４ｃ内において、外周壁方向開口から没入した状態で、６角シャンク穴４ｂ方向の前記小径開口周縁により抜け止めされて球面の一部が突出した状態となり、６角シャンク穴４ｂ方向開口より没入した状態で、外周壁方向開口より球面の一部が突出するように構成されており、更にこの軸体部４の下端部位には、操作筒部５の抜止め用の止め輪４ｅが嵌装されている。
【００１４】
操作筒部５は、内周面に、軸方向の移動に伴なって軸体部４の球体４ｄに接離する凸周面部５ａと、止め輪４ｅに当接する凸条５ｂが周設され、この凸周面部５ａの上位段部と軸体部４の上部位の縮径段部との間には、この操作筒部５を下方（図３）に付勢するスプリング６が縮設され、凸周面部５ａの下部位には、内周面方向が縮径されたテーパー段部５ｃが形成されている。
【００１５】
そしてこの操作筒部５は、常態においてスプリング６により下方向に付勢され、凸条５ｂが軸体部４の止め輪４ｅに当接して軸方向の移動が規制されており、しかも凸周面部５ａが軸体部４の横孔４ｃを塞ぐような位置にあり、これにより球体４ｄは、６角シャンク穴４ｂに突出した状態で径方向の移動が規制されている構成となっている。
【００１６】
この延長連絡具Ａの使用操作は、チャック機構部３の操作筒部５をスプリング６に抗して上方に移動させてから、ソケットやドライバービットなどの締付け工具Ｔの６角シャンク部Ｔａを軸体部４の６角シャンク穴４ｂに挿嵌する。
【００１７】
前記操作筒部５の上方操作移動により凸周面部５ａが軸体部４の横孔４ｃを塞ぐ位置から外された状態となり、６角シャンク部Ｔａの挿嵌に伴ない横孔４ｃ内の球体４ｄが押動されて没入して、反対方向の外周壁方向開口より突出した状態となる（図５）。
【００１８】
次いで操作筒部５を離すことによりスプリング６の付勢若くは、操作筒部５を降下移動するに伴なって、球体４ｄが凸周面部５ａのテーパー段部５ｃに沿って押動されて軸体部４における横孔４ｃの外周壁方向開口から没入すると共に６角シャンク孔４ｂ方向開口から突出して、締付け工具Ｔの６角シャンク部Ｔａに形成された係合周溝Ｔｂに係止することにより、この締付け工具Ｔが装着される。
【００１９】
次いでシャンク部２のシャンク杆部２ａを電動工具Ｄ、例えばインパクトドライバーＤａの係止機構におけるシャンク穴に挿嵌してスピンドル先端部Ｄｂに装着することにより、このインパクトドライバーＤａのスピンドルの回転を、この延長連結具Ａを介して締付け工具Ｔに伝達可能とする。
【００２０】
そしてこの延長連結具Ａの棒体部１を緩く握った状態で支えて、例えば建築内装工事などにおける天井、高壁部位などの遠隔箇所のボルトやネジに、先端の締付け工具Ｔを嵌めて、締付け弛緩作業を行なうものである。
【００２１】
前記実施例におけるボルトなどの締付け弛緩用延長連結具は、電動ドリルドライバーのドリルチャックやインパクトドライバーのスピンドル先端部に設けられた係止機構など、電動工具に装着するのに好適なシャンク部を備えていると共に、ボルト、ナットやネジを締付け弛緩するための、ソケットやドライバービットなどの締付け工具の差替えに好適なチャンク機構を備え、しかも、建築内装工事などにおける天井や高壁部などの遠隔箇所のボルトやネジの締付け作業において、緩く握って支持することとなる棒体部が、丸パイプ状などの中空材からなるものであるから、長尺であることによる撓みや、インパクトドライバーの振動による折損の恐れもなく十分に強度を有すると共に、程好い握り具合の握支持に好適な太さであり、全体的に重量バランスがとれた構成となり、いわゆる持ち重りがせず作業性が良いものである。
【図面の簡単な説明】
【００２２】
【図１】全体正面図。
【図２】図１の部分拡大図。
【図３】チャック機構部の側面断面図。
【図４】図３の底面図。
【図５】締付け工具の装着時を示す側面断面図。
【符号の説明】
【００２３】
Ａ      延長連結具
Ｄ      電動工具
Ｔ      締付け工具
１      棒体部
２      シャンク部
２ａ    シャンク杆部
２ｃ    係合周溝
３      チャック機構部
４      軸体部
４ｂ    ６角シャンク穴
４ｃ    横孔
４ｄ    球体
４ｅ    止め輪
５      操作筒部
５ａ    凸周面部
５ｂ    凸条
５ｃ    テーパー段部
６      スプリング
【図１】
2006297508.tif 000003
【図２】
2006297508.tif 000004
【図３】
2006297508.tif 000005
【図４】
2006297508.tif 000006
【図５】
2006297508.tif 000007